(57)【特許請求の範囲】
【請求項１】
入力されたデータ、及び、サービスコンテンツを再生する再生装置の再生能力を示す能力情報をネットワーク上に存在するサービスサーバに送信し、前記データを前記能力情報に基づいて処理して生成された前記サービスコンテンツを前記サービスサーバから受信する通信制御手段と、
前記サービスコンテンツを保存するメディア蓄積手段と、
前記サービスコンテンツが保存されている前記メディア蓄積手段のアドレス及び前記サービスコンテンツを再生する再生装置のアドレスを取得し、前記サービスコンテンツが保存されているアドレスと保存された前記サービスコンテンツの再生指示とを前記再生装置のアドレスに通知するメディア制御手段と、
を備える通信装置。
【請求項２】
前記メディア制御手段はＤＬＮＡ（Ｄｉｇｉｔａｌ  Ｌｉｖｉｎｇ  Ｎｅｔｗｏｒｋ  Ａｌｌｉａｎｃｅ）対応のデジタルメディアコントローラであり、前記再生装置はＤＬＮＡ対応のデジタルメディアレンダラである、請求項１に記載された通信装置。
【請求項３】
前記メディア蓄積手段はＤＬＮＡ対応のデジタルメディアサーバである、請求項２に記載された通信装置。
【請求項４】
前記メディア蓄積手段を外部に接続可能な接続手段をさらに備える、請求項１乃至３のいずれかに記載された通信装置。
【請求項５】
請求項１乃至４のいずれかに記載された通信装置からデータを受信し、前記データに基づいて生成された前記サービスコンテンツを前記通信装置に送信する
送受信手段を備える、サービスサーバ。
【請求項６】
さらに、前記サービスコンテンツを蓄積するコンテンツ蓄積手段を備え、前記サービスコンテンツを再生する再生手段から受信した要求に基づいて前記サービスコンテンツを前記再生手段に送信する、請求項５に記載されたサービスサーバ。
【請求項７】
請求項１乃至４のいずれかに記載された通信装置と、
前記通信装置から受信したデータに基づいてサービスコンテンツを生成して前記サービスコンテンツを前記通信装置に送信するサービスサーバと、
前記通信装置に接続された、前記サービスコンテンツを再生するための再生手段と、
を備える通信システム。
【請求項８】
入力されたデータ、及び、サービスコンテンツを再生する再生装置の再生能力を示す能力情報をネットワーク上に存在するサービスサーバに送信し、
前記データを前記能力情報に基づいて処理して生成された前記サービスコンテンツを前記サービスサーバから受信して保存し、
前記サービスコンテンツが保存されているアドレス及び前記再生装置のアドレスを取得し、
前記サービスコンテンツが保存されているアドレスと保存された前記サービスコンテンツの再生指示とを前記再生装置のアドレスに通知する、
通信方法。
【発明の詳細な説明】
【技術分野】
【０００１】
本発明は、通信装置及び通信方法に関し、特に、コンテンツを再生するための通信装置及び通信方法に関する。
【背景技術】
【０００２】
近年、ヘルスケアサービスなど、ユーザが採取したデータをインターネット上のデータベースに蓄積し、そのデータに基づいてサービス提供者が生成したコンテンツをＷｅｂ上でユーザに公開するコンテンツ生成サービスが増加している。このようなコンテンツ生成サービスにおいては、ユーザは、データを送信後サービス提供者のＷｅｂページ等にアクセスして当該コンテンツをユーザの端末で再生する。
【０００３】
一方、ネットワーク上にあるコンテンツを家庭内のＬＡＮ（ｌｏｃａｌ  ａｒｅａ  ｎｅｔｗｏｒｋ）上の機器で再生するための仕様として、ＤＬＮＡ（Ｄｉｇｉｔａｌ  Ｌｉｖｉｎｇ  Ｎｅｔｗｏｒｋ  Ａｌｌｉａｎｃｅ）がある。特許文献１は、ＤＬＮＡの仕様に準拠したコンテンツアクセスシステムの構成を開示している。
【０００４】
ＤＬＮＡは、デジタルコンテンツに関して、異なるメーカの装置間でのデジタルコンテンツ共有のための相互接続性を保証する仕様を規定している。ＤＬＮＡでは、機器の仕様としてＤＭＣ（Ｄｉｇｉｔａｌ  Ｍｅｄｉａ  Ｃｏｎｔｒｏｌｌｅｒ、デジタルメディアコントローラ）、ＤＭＳ（Ｄｉｇｉｔａｌ  Ｍｅｄｉａ  Ｓｅｒｖｅｒ、デジタルメディアサーバ）、ＤＭＲ（Ｄｉｇｉｔａｌ  Ｍｅｄｉａ  Ｒｅｎｄｅｒｅｒ、デジタルメディアレンダラ）などが定義されている。
【０００５】
ＤＭＣは、例えばＤＶＤ（Ｄｉｇｉｔａｌ  Ｖｅｒｓａｔｉｌｅ  Ｄｉｓｃ）レコーダ等の情報家電機器を操作するための機能を有する機器である。ＤＭＣは、ＵＰｎＰ（Ｕｎｉｖｅｒｓａｌ  Ｐｌｕｇ  ａｎｄ  Ｐｌａｙ）機能により情報家電機器の「探索」、「諸元情報の取得」、「情報家電機器の持つ機能の制御」を行う。また、ＤＭＣは、ＤＭＳが保存しているコンテンツの取得や再生を行う。
【０００６】
ＤＭＳは、例えばホームネットワーク内に設置されたＤＶＤレコーダ等の情報家電機器のように、コンテンツの保存や配信のための機能を備える機器である。ＤＭＳは、ＵＰｎＰ機能により、ＤＭＳ自身の「告知」、「諸元情報の送信」を行う。また、ＤＭＳは、自身が保持しているコンテンツのリストをＤＭＣやＤＭＲに通知する。
【０００７】
ＤＭＲは、例えばホームネットワーク内に設置されたテレビ等の情報家電機器のようにコンテンツの再生のための機能を備える機器である。ＤＭＲは、同じくＵＰｎＰ機能により、自身の「告知」、「諸元情報の送信」を行う。また、前述のＤＶＤレコーダ等の情報家電機器に保存されたデジタルコンテンツを再生する。
【先行技術文献】
【特許文献】
【０００８】
【特許文献１】特開２００９−１１８１１２号公報
【発明の概要】
【発明が解決しようとする課題】
【０００９】
先に述べたヘルスケアサービス等のコンテンツ生成サービスにおいては、サービス提供者によって加工されたデータを見るために、ユーザは自らネットワークにアクセスする必要があった。例えば、ユーザはサービス提供者にデータを送信後、サービス提供者のデータ加工が終了した後にパーソナルコンピュータやスマートフォン、あるいはネットワーク接続に対応したテレビジョン受信器等の通信端末をサービス提供者のＷｅｂサイト等に接続して、加工されたデータの内容を確認する必要があった。このため、加工されたデータを後日確認するつもりであっても確認を失念してしまい、ユーザが適時にコンテンツの内容を確認できない場合があるという課題があった。また、データ加工の終了前にユーザがサービス提供者のＷｅｂサイトにアクセスすると、再生されるコンテンツがまだ存在しないため、アクセスの手間がむだになる場合があるという課題もあった。
【００１０】
一方、特許文献１に記載されたＤＬＮＡは、ネットワーク上のコンテンツを家庭内ＬＡＮ等に接続された機器で再生することを可能とする。しかしながら、ＤＬＮＡで規定された仕様は、ユーザが送信したデータに基づいてサービス提供者で生成されたデータをユーザが適時にむだなく再生可能とするものではない。
【００１１】
本発明の目的は、上記の課題を解決し、ユーザがサービス提供者に送信したデータに基づいて生成されたコンテンツを、ユーザがサービス提供者のサーバにアクセスする操作を行うことなく再生できるようにするための技術を提供することにある。
【課題を解決するための手段】
【００１２】
本発明の通信装置は、入力されたデータをネットワーク上に存在するサービスサーバに送信し、データを処理して生成されたサービスコンテンツを受信する通信制御手段と、サービスコンテンツが保存されているアドレス及びサービスコンテンツを再生する再生装置のアドレスを取得し、サービスコンテンツが保存されているアドレスを再生装置のアドレスに通知するメディア制御手段と、を備える。
【００１３】
本発明の通信方法は、入力されたデータをネットワーク上に存在するサービスサーバに送信し、データを処理して生成されたサービスコンテンツを受信し、サービスコンテンツが保存されているアドレス及びサービスコンテンツを再生する再生装置のアドレスを取得し、サービスコンテンツが保存されているアドレスを再生装置のアドレスに通知する。
【発明の効果】
【００１４】
本発明は、ユーザが提供したデータに基づいてサービス提供者において生成されたコンテンツを、ユーザがサービス提供者のサーバにアクセスする操作を行うことなく再生できるという効果を奏する。
【図面の簡単な説明】
【００１５】
【図１】第１の実施形態のコンテンツ再生システムを示す図である。
【図２】収集装置によるユーザの測定データの収集を説明するための図である。
【図３】ＨＧＷからサービスサーバへ測定データが送信される動作を説明するための図である。
【図４】サービスサーバにおけるサービスコンテンツ生成について説明するための図である。
【図５】ＨＧＷにおけるサービスコンテンツの処理を説明するための図である。
【図６】第１の実施形態のコンテンツ再生システムの処理のシーケンス図である。
【図７】サービスコンテンツ生成部が生成するサービスコンテンツの例を示す図である。
【図８】第２の実施形態のコンテンツ再生システムの構成を示す図である。
【図９】第２の実施形態のコンテンツ再生システムの動作フローを示す図である。
【図１０】第３の実施形態のコンテンツ再生システムの構成を示す図である。
【図１１】コンテンツ再生システムのさらに別の動作フローを示す図である。
【発明を実施するための形態】
【００１６】
以下、本発明の実施形態について説明する。
【００１７】
図1は、本発明の第１の実施形態のコンテンツ再生システム１００を示す図である。コンテンツ再生システム１００は、インターネット１０１とホームネットワーク１０５とが接続されて構成される。インターネット１０１上には、コンテンツの再生に関するサービスを司るサービスサーバ１０３が存在する。ホームネットワーク１０５は、その内部にＨＧＷ（ｈｏｍｅ  ｇａｔｅｗａｙ、ホームゲートウェイ）１０７、収集装置１１５及びＤＭＲ１１９を備える。ＨＧＷ１０７は、インターネット１０１と接続される。収集装置１１５は、各種サービスデータを収集する。ＤＭＲ１１９は、ＤＬＮＡで規定されるデジタルメディアレンダラであり、例えばＤＬＮＡ対応のテレビジョン受信器である。
【００１８】
ＨＧＷ１０７は、収集装置制御部２０１、内蔵ＤＭＳ１０９、内蔵ＤＭＣ１１１と、サービスサーバ通信制御部３０１とを備える。内蔵ＤＭＳ１０９は、ＤＬＮＡで規定されるデジタルメディアサーバであり、内蔵ＤＭＣ１１１は、ＤＬＮＡで規定されるデジタルメディアコントローラである。以下の説明において、内蔵ＤＭＳ１０９と内蔵ＤＭＣ１１１とを合わせてサービスビューワ制御部５０１と呼ぶことがある。
（第１の実施形態の動作の説明）
次に、第１の実施形態のコンテンツ再生システム１００の動作について、図１〜図６を参照して説明する。図６は第１の実施形態のコンテンツ再生システムの一連の処理のシーケンス図であり、以下の説明で適宜引用する。
【００１９】
図２は、収集装置１１５によるユーザの測定データの収集を説明するための図である。図２において、ＨＧＷ１０７には、収集装置１１５が接続されている。この収集装置１１５は、第１の実施形態ではユーザが利用するヘルスケアサービスのための、測定データ２０５を収集する装置である。測定データ２０５は、例えばユーザが測定機２０３で測定した血圧、体重等のユーザの健康管理のためのデータである。収集装置１１５は、測定器２０３で収集した測定データをＨＧＷ１０７へ送信する（図６の６０１）。
【００２０】
図３は、ＨＧＷ１０７からサービスサーバ１０３へ測定データが送信される動作を説明するための図である。ＨＧＷ１０７には、あらかじめサービスサーバ１０３のアドレスもしくはＵＲＬ（Ｕｎｉｆｏｒｍ  Ｒｅｓｏｕｒｃｅ  Ｌｏｃａｔｏｒ）が設定されている。
【００２１】
ＨＧＷ１０７は、収集装置制御部２０１によって収集装置１１５から測定データ２０５を収集する。そして、ＨＧＷ１０７は、サービスサーバ通信制御部３０１を介して、サービスサーバ１０３の通信制御部３０３へ収集装置制御部２０１が収集した測定データ２０５を送信する（図６の６０３）。
【００２２】
図４は、サービスサーバ１０３におけるサービスコンテンツ生成について説明するための図である。サービスサーバ１０３は、通信制御部３０３、データベース管理部４０１、サービスマネージャ４０３及びサービスコンテンツ生成部４０５を備える。サービスサーバ１０３は、ＨＧＷ１０７から受信した測定データ２０５を通信制御部３０３で受信する。データベース管理部４０１は、受信した測定データ２０５を保存して蓄積する。サービスマネージャ４０３は、データベース管理部４０１に蓄積されているデータを基に、当該データを送信したユーザが利用するサービスを選択する。そして、サービスマネージャ４０３は、選択されたサービスに応じて、サービスコンテンツ生成部４０５に、ユーザに再生させるサービスコンテンツ４１１を生成させる（図６の６０５）。
【００２３】
図７は、第１の実施形態においてサービスコンテンツ生成部４０５が生成するサービスコンテンツの例を示す図である。第１の実施形態においては、サービスコンテンツ生成部４０５は、ユーザから収集した体重データを基に図７に示す体重推移グラフ８０１をサービスコンテンツ４１１として生成する。サービスコンテンツは体重推移グラフに限られないのはもちろんである。例えば、生成されるサービスコンテンツ４１１の他の例としては、血圧等の他の測定データの時間的な推移を示すグラフであってもよい。あるいは、サービスコンテンツは測定データあるいはサービスコンテンツの生成結果に関するサービス提供者のコメント、サービスに関連する動画像あるいは静止画像を含んでいてもよく、そしてこれらには限定されない。
【００２４】
サービスサーバ１０３は、生成されたサービスコンテンツ４１１を、通信制御部３０３を介してＨＧＷ１０７へ送信する（図６の６０７）。サービスサーバ１０３は、サービスコンテンツ生成部４０５におけるサービスコンテンツ４１１の生成が終了するとサービスコンテンツ４１１を自動的にＨＧＷ１０７に送信してもよい。あるいは、所定の時刻が到来すると、ＨＧＷ１０７がサービスサーバ１０３へサービスコンテンツ４１１の送信を促すようにしてもよい。
【００２５】
図５は、ＨＧＷ１０７におけるサービスコンテンツ４１１の処理を説明するための図である。図５において、サービスビューワ制御部５０１に属する内蔵ＤＭＣ１１１は、ＵＰｎＰで規定されたＵＰｎＰ  Ｄｉｓｃｏｖｅｒｙプロトコル（図６の６１１）により、内蔵ＤＭＳ１０９を検出する（図６の６１３）。また内蔵ＤＭＣ１１１は、同様に、ＵＰｎＰ  Ｄｉｓｃｏｖｅｒｙプロトコル（図６の６１５）により、ＨＧＷ１０７に接続されたＤＭＲ１１９を検出する（図６の６１７）。
【００２６】
サービスサーバ通信制御部３０１は、サービスサーバ１０３からサービスコンテンツ４１１を受信すると（図６の６０７）、そのコンテンツをサービスビューワ制御部５０１の内蔵ＤＭＳ１０９に配置して保存する（図６の６０９）。
【００２７】
内蔵ＤＭＣ１１１は、内蔵ＤＭＳに保存されているサービスコンテンツ４１１を検索し、検索したサービスコンテンツ４１１を内蔵ＤＭＳから内蔵ＤＭＲに送信させる。内蔵ＤＭＣ１１１は、ＤＬＮＡで規定されているＣＤＳ．Ｂｒｏｗｓｅリクエスト（図６の６１９）により、内蔵ＤＭＳ１０９に配置されたサービスコンテンツ４１１を検出する（図６の６２１）。そして、内蔵ＤＭＣ１１１は、ＤＬＮＡで規定されているＡＶＴ．ＳｅｔＡＶＴｒａｎｓｐｏｒｔＵＲＩメッセージ（図６の６２３）を用いて、サービスコンテンツ４１１のＵＲＬをＵＰｎＰ  Ｄｉｓｃｏｖｅｒｙ（図６の６１５）で検出したＤＭＲ１１９に通知する。続いて内蔵ＤＭＣ１１１は、ＤＬＮＡで規定されているＡＶＴ．ＰＬＡＹメッセージ（図６の６２５）をＤＭＲ１１９に通知する。ＤＭＲ１１９は、ＡＶＴ．ＳｅｔＡＶＴｒａｎｓｐｏｒｔＵＲＩ（図６の６２３）で通知されたＵＲＬ及びＨＴＴＰ：ＧＥＴリクエスト（図６の６２７）を用いて内蔵ＤＭＳ１０９からサービスコンテンツ４１１を取得し、サービスコンテンツ４１１の再生を始める（図６の６２９）。
【００２８】
ここで、内蔵ＤＭＣ１１１は、検出されたサービスコンテンツ４１１とそれを再生するＤＭＲ１１９とを関連させて管理してもよい。例えば、ＤＭＲ１１９で再生されるサービスコンテンツの種類をあらかじめ内蔵ＤＭＣ１１１に登録しておき、内蔵ＤＭＣ１１１は、登録されたサービスコンテンツがＤＭＳ１０９に配置された場合にのみ当該サービスコンテンツをＤＭＲ１１９で再生させてもよい。また、複数のＤＭＲ１１９がホームネットワーク１０５に接続されている場合、内蔵ＤＭＣ１１１は、ＤＭＲごとに再生するサービスコンテンツの種類を設定してもよい。
【００２９】
以上の一連の動作において、ユーザは、測定機２０３で所定の測定を行うだけで、サービスサーバ１０３が生成したサービスコンテンツを、所定のＤＭＲ１１９で再生することができる。
【００３０】
このように、第１の実施形態のコンテンツ再生システム１００は、ユーザが提供したデータに基づいてサービス提供者において生成されたサービスコンテンツをユーザが自動的に受信して再生できる。そして、ＤＭＲ１１９において処理されたサービスコンテンツ４１１が再生される際に、当該コンテンツを再生するために、ユーザがＤＭＲを操作してサービスサーバ１０３にアクセスさせる必要がない。
【００３１】
すなわち、第１の実施形態のコンテンツ再生システム１００は、ユーザが提供したデータに基づいてサービス提供者において生成されたコンテンツを、ユーザがサービス提供者のサーバにアクセスする操作を行うことなく再生できるという効果を奏する。
【００３２】
なお、第１の実施形態では各機器がＤＬＮＡ対応機器である場合について説明した。しかし、各機器が上記と同様の機能を実現できれば、各機器の仕様はＤＬＮＡに準拠している必要はない。
（第２の実施形態）
次に、本発明の第２の実施形態について説明する。図８は、本発明の第２の実施形態のコンテンツ再生システム２００の構成を示す図である。図８に示されたコンテンツ再生システム２００は、ＨＧＷ１０７が内蔵ＤＭＳ１０９を備えていない点で、第１の実施形態のコンテンツ再生システム１００と相違している。
【００３３】
なお、以下の各実施形態の説明において、既出の要素には同一の名称及び参照符号を付して、詳細な説明は省略する。
【００３４】
図９は、第２の実施形態のコンテンツ再生システム２００の動作フローを示す図である。コンテンツ再生システム２００において、生成されたサービスコンテンツ４１１は、サービスサーバ１０３の内部に保存される。例えば、サービスデータ４１１はサービスコンテンツ生成部４０５に保存されるようにしてもよい。サービスサーバ１０３は、サービスコンテンツ４１１を生成した後（図９の６０５）、サービスコンテンツ４１１の保存場所のＵＲＬをＨＧＷ１０７へ送信する（図９の９０１）。内蔵ＤＭＣ１１１はＡＶＴ．ＳｅｔＡＶＴｒａｎｓｐｏｒｔＵＲＩ（図９の６２３）にてサービスコンテンツ４１１のＵＲＬをＤＭＲ１１９に通知する。ＤＭＲ１１９はこのＵＲＬ及びＨＴＴＰ：ＧＥＴリクエストを用いてサービスサーバ１０３上のサービスコンテンツ４１１を取得し（図９の６２７）、サービスコンテンツ４１１を再生する（図９の６２９）。
【００３５】
コンテンツ再生システム２００においては、図8に示すようにサービスコンテンツ４１１がサービスサーバ１０３上に配置される。従って、コンテンツ再生システム２００は、サービスコンテンツ４１１を記憶する機能を持つ内蔵ＤＭＳ１０９を備えることなくサービスコンテンツ４１１をＤＭＲ１１９で再生させることができる。その結果、コンテンツ再生システム２００は、第１の実施形態のコンテンツ再生システム１００が奏する効果に加えて、さらに、ＨＧＷ１０７の部品点数の削減による小型化や低コスト化が可能となるという効果を奏する。
（第３の実施形態）
次に、本発明の第３の実施形態について説明する。図１０は、本発明の第３の実施形態のコンテンツ再生システム３００の構成を示す図である。図１０に示すように、コンテンツ再生システム３００は、第１の実施形態ではＨＧＷ１０７に備えられていた内蔵ＤＭＳ１０９に代えて、ＨＧＷ１０７の外部にＤＭＳ１５１を配置している。そして、収集装置１１５、ＤＭＲ１１９及びＤＭＳ１５１は、ネットワークを通じて内蔵ＤＭＣ１１１に接続されている。そして、コンテンツ再生システム３００は、内蔵ＤＭＣ１１１に代えてＤＭＳ１５１を用いることで、第１の実施形態のコンテンツ再生システム１００と同様の動作を行うことができる。なお、コンテンツ再生システム３００においては、第１及び第２の実施形態で説明した収集装置制御部２０１は、サービスサーバ通信制御部３０１に内蔵されている。
【００３６】
このような構成を備えるコンテンツ再生システム３００は、内部にＤＭＳを備えていない。従って、コンテンツ再生システム３００は、第２の実施形態と同様に、第１の実施形態のコンテンツ再生システム１００が奏する効果に加えて部品点数の削減による小型化や低コスト化が可能となるという効果を奏する。
【００３７】
なお、第３の実施形態のコンテンツ再生システム３００において、ＨＧＷ１０７の構成は以下のようにも記載できる。
【００３８】
すなわち、通信装置（ＨＧＷ１０７）は、通信制御手段（サービスサーバ通信制御部３０１）と、メディア制御手段（内蔵ＤＭＣ１１１）とを備える。通信制御手段は、入力されたデータをネットワーク上に存在するサービスサーバ１０３に送信し、データを処理して生成されたサービスコンテンツを受信する。メディア制御手段は、サービスコンテンツ４１１が保存されているアドレス及びサービスコンテンツを再生する再生装置のアドレスを取得し、サービスコンテンツが保存されているアドレスを再生装置のアドレスに通知する。
【００３９】
このような構成を備える通信装置は、ユーザが提供したデータをサービス提供者のサービスサーバに送信する。そして、通信装置は、サービスサーバにおいて生成されたサービスコンテンツのアドレスとサービスコンテンツを再生する再生手段のアドレスとを取得する。その結果、通信装置は、ユーザがサービスサーバにアクセスする操作を行うことなく、再生手段においてサービスコンテンツを再生することができる。
【００４０】
すなわち、上記の構成を備える通信装置も、ユーザが提供したデータに基づいてサービス提供者において生成されたコンテンツを、ユーザがサービス提供者のサーバにアクセスする操作を行うことなく再生できるという効果を奏する。
（第４の実施形態）
次に、本発明の第４の実施例について説明する。図１１は、第１から第３の実施形態で説明したコンテンツ再生システム１００〜３００のさらに別の動作フローを第４の実施形態として示す図である。
【００４１】
図１１において、内蔵ＤＭＣ１１１はＵＰｎＰ  ＧｅｔＤｅｖｉｃｅＣａｐａｂｉｌｉｔｙメッセージ（図１１の６５１）にて、ＤＭＲ１１９の性能、例えばＤＭＲ１１９がサポート可能なコンテンツの種類や画面サイズなどの情報を取得する（図１１の６５３）。内蔵ＤＭＣ１１１は、取得したこれらの情報をサービスサーバ通信制御部３０１に転送する（図１１の６５４）。そして、サービスサーバ通信制御部３０１は、内蔵ＤＭＣ１１１が取得した情報を測定データと共にサービスサーバ１０３へ送信する（図９の６５５）。
【００４２】
サービスサーバ１０３は、内蔵ＤＭＣ１１１から受信したＤＭＲ１１９の情報に基づいて、サービスコンテンツを生成する。例えば、ＤＭＲ１１９の画像表示の応答速度が低い場合には、サービスコンテンツ生成部４０５は、動画が含まれる場合にはその動きを抑制するようにサービスコンテンツ４１１を生成してもよい。その結果、第４の実施形態のコンテンツ再生システムは、第１から第３の実施形態で説明した効果に加えて、ＤＭＲ１１９の性能に適合したサービスコンテンツ４１１をユーザに提供することができる。
【００４３】
なお、本発明の実施形態は以下の付記のようにも記載されうるが、以下には限定されない。
（付記１）
入力されたデータをネットワーク上に存在するサービスサーバに送信し、前記データを処理して生成されたサービスコンテンツを受信する通信制御手段と、
前記サービスコンテンツが保存されているアドレス及び前記サービスコンテンツを再生する再生装置のアドレスを取得し、前記サービスコンテンツが保存されているアドレスを前記再生装置のアドレスに通知するメディア制御手段と、
を備える通信装置。
（付記２）
前記メディア制御手段はＤＬＮＡ（Ｄｉｇｉｔａｌ  Ｌｉｖｉｎｇ  Ｎｅｔｗｏｒｋ  Ａｌｌｉａｎｃｅ）対応のデジタルメディアコントローラであり、前記再生装置はＤＬＮＡ対応のデジタルメディアレンダラである、付記１に記載された通信装置。
（付記３）
前記サービスコンテンツを蓄積するメディア蓄積手段をさらに備え、前記メディア制御手段は前記メディア蓄積手段に蓄積されたサービスコンテンツを再生する指示を前記再生装置に送信する、付記１又は２に記載された通信装置。
（付記４）
前記メディア蓄積手段はＤＬＮＡ対応のデジタルメディアサーバである、付記３に記載された通信装置。
（付記５）
前記メディア蓄積手段を前記通信装置の外部に接続可能とした、付記１乃至４のいずれかに記載された通信装置。
（付記６）
前記メディア制御手段は、さらに、前記再生装置の再生能力を示す能力情報を取得して前記サービスサーバに送信する、付記１乃至５のいずれかに記載された通信装置。
（付記７）
付記１乃至６のいずれかに記載された通信装置からデータを受信し、前記データに基づいて生成されたサービスコンテンツ前記サービスコンテンツを前記通信装置に送信する送受信手段を備える、サービスサーバ。
（付記８）
さらに、前記サービスコンテンツを蓄積するコンテンツ蓄積手段を備え、前記サービスコンテンツを再生する再生手段から受信した要求に基づいて前記サービスコンテンツを前記再生手段に送信する、付記７に記載されたサービスサーバ。
（付記９）
付記１乃至６のいずれかに記載された通信装置と、
前記通信装置から受信したデータに基づいてサービスコンテンツを生成して前記サービスコンテンツを前記通信装置に送信するサービスサーバと、
前記通信装置に接続された、前記サービスコンテンツを再生するための再生手段と、
を備える通信システム。
（付記１０）
付記６に記載された通信装置と、
前記通信装置から受信したデータとサービスコンテンツを再生する再生装置の再生能力を示す能力情報とに基づいて前記サービスコンテンツを生成し、前記サービスコンテンツを前記通信装置に送信するサービスサーバと、
前記通信装置に接続された、前記サービスコンテンツを再生するための再生手段と、
を備える通信システム。
（付記１１）
入力されたデータをネットワーク上に存在するサービスサーバに送信し、
前記データを処理してサービスコンテンツを生成し、
前記サービスコンテンツを受信し、
前記サービスコンテンツが保存されているアドレス及び前記サービスコンテンツを再生する再生装置のアドレスを取得し、
前記サービスコンテンツが保存されているアドレスを前記再生装置のアドレスに通知する、
通信方法。
【符号の説明】
【００４４】
１００、２００、３００  コンテンツ再生システム
１０１  インターネット
１０３  サービスサーバ
１０５  ホームネットワーク
１０７  ＨＧＷ
１０９  内蔵ＤＭＳ
１１１  内蔵ＤＭＣ
１１５  収集装置
１１９  ＤＭＲ
１５１  ＤＭＳ
２０１  収集装置制御部
２０３  測定器
２０５  制御部
３０１  サービスサーバ通信制御部
３０３  通信制御部
４０１  データベース管理部
４０３  サービスマネージャ
４０５  サービスコンテンツ生成部
４１１  サービスコンテンツ
５０１  サービスビューワ制御部
【図１】
0005694913.tif 000002
【図２】
0005694913.tif 000003
【図３】
0005694913.tif 000004
【図４】
0005694913.tif 000005
【図５】
0005694913.tif 000006
【図６】
0005694913.tif 000007
【図７】
0005694913.tif 000008
【図８】
0005694913.tif 000009
【図９】
0005694913.tif 000010
【図１０】
0005694913.tif 000011
【図１１】
0005694913.tif 000012